(57)【要約】      （修正有）【課題】構成が簡単であり、調節が容易であり、調節精度が高く、安全性が高く、操作が利便であり、製造コストが低い医用注射装置を提供する。【解決手段】医用注射装置は、両端部にそれぞれ第１の端蓋１３、第２の端蓋１９が設置されるケーシング１０と、第１の端蓋のネジ山に接続される目盛りスクリュー９と、薬剤を押し出すことに用いられ、上端は目盛りスクリューに駆動機構を介して接続され、下端は第２の端蓋のネジ山に接続されるピストンロッド２１とを含み、さらに、目盛りスクリューを連れてケーシング軸方向に沿って移動させるための、目盛りスクリューとケーシングとの間に設置される投与量調節機構を含み、目盛りスクリューが螺旋上昇する時、駆動機構は少なくとも一部が目盛りスクリューにしたがって直線上昇し、目盛りスクリューが螺旋下降する時、駆動機構は少なくとも一部が目盛りスクリューにしたがって螺旋下降し、ピストンロッドを同期螺旋下降して移動させる。【選択図】図３
0003213066.tif 000002
【実用新案登録請求の範囲】
【請求項１】
両端部にそれぞれ第１の端蓋、第２の端蓋が設置されるケーシングと、
前記第１の端蓋のネジ山に接続される目盛りスクリューと、
薬剤を押し出すことに用いられ、上端は前記目盛りスクリューに駆動機構を介して接続され、下端は前記第２の端蓋のネジ山に接続されるピストンロッドと、
を含む医用注射装置であって、
前記医用注射装置はさらに、前記目盛りスクリューを連れて前記ケーシング軸方向に沿って移動させるための、前記目盛りスクリューと前記ケーシングとの間に設置される投与量調節機構を含み、
前記目盛りスクリューが螺旋上昇する時、前記駆動機構は少なくとも一部が前記目盛りスクリューにしたがって直線上昇し、前記目盛りスクリューが螺旋下降する時、前記駆動機構は少なくとも一部が前記目盛りスクリューにしたがって螺旋下降して移動し、前記ピストンロッドを駆動して同期螺旋下降して移動する
ことを特徴とする医用注射装置。
【請求項２】
前記投与量調節機構は調節キー、ラチェットを含み、前記調節キーは摺動して前記ケーシングに設置され、前記ラチェットを駆動して回動させることに用いられ、前記ラチェットは前記目盛りスクリューをカバーし、前記目盛りスクリューを駆動して回動させることに用いられる
ことを特徴とする請求項１に記載の医用注射装置。
【請求項３】
前記ラチェットは前記目盛りスクリュートルクに接続され、
前記調節キーは前記目盛りスクリューをカバーし、外力作用で、前記調節キー下端の頂尖は前記ラチェットのラチェット歯に貼り合わせ、前記ケーシング側壁に前記ケーシング軸方向に沿って設置されるバー状通孔が設置され、前記調節キー側壁に前記バー状通孔を延伸して貫通する凸点が成型され、
前記調節キーは押圧される時、前記ラチェットのラチェット歯に配合し、前記ラチェットを駆動して単方向回動させ、前記目盛りスクリューは前記ラチェット作用で同期回動する
ことを特徴とする請求項２に記載の医用注射装置。
【請求項４】
前記調節キーの上端と前記第１の端蓋との間に前記調節キーを復帰させるための引張ばねが設置される
ことを特徴とする請求項２に記載の医用注射装置。
【請求項５】
前記駆動機構は、
前記ピストンロッドにトルク接続される駆動素子と、
前記駆動素子の下端に当接し、前記目盛りスクリューが前記駆動素子にラチェット機構を介して互いに噛み合う接続を保持することに用いられる弾性プレス部材と、を含み、
前記目盛りスクリューが螺旋上昇する時、前記駆動素子は前記弾性プレス部材の作用で前記目盛りスクリューにしたがって直線上昇し、前記ピストンロッドとの間に相対摺動を発生させ、前記目盛りスクリューが螺旋下降する時、前記目盛りスクリューは前記ラチェット機構の噛み合いにより前記駆動素子をつれて回動させ、前記ピストンロッドは前記駆動素子の回動にしたがって、螺旋下降して移動する
ことを特徴とする請求項１〜４のいずれか１項に記載の医用注射装置。
【請求項６】
前記ラチェットのラチェット歯は前記ラチェットの円周方向に沿って延伸して前記ラチェットの円周面に設置され、
前記ラチェット機構は、前記駆動素子の円周面に設置されるラチェット歯と、前記目盛りスクリュー内壁に設置されるつめとを含み、前記つめは前記ラチェット歯に互いに噛み合い、前記ラチェットのラチェット歯の歯面は前記駆動素子のラチェット歯の歯面の傾斜方向に対して逆になる
ことを特徴とする請求項５に記載の医用注射装置。
【請求項７】
前記ラチェットのラチェット歯は前記ラチェットの円周方向に沿って延伸して前記ラチェットの上端面に設置され、
前記ラチェット機構は、前記駆動素子の上端面に設置されるラチェット歯と、前記目盛りスクリューに設置されるつめとを含み、前記つめは前記ラチェット歯に互いに噛み合い、前記ラチェットのラチェット歯の歯面は前記駆動素子のラチェット歯の歯面の傾斜方向と同じである
ことを特徴とする請求項５に記載の医用注射装置。
【請求項８】
前記医用注射装置は、薬水収容瓶、およびトリガースイッチボタンをさらに含み、前記薬水収容瓶は前記ケーシングの下端に設置され、前記薬水収容瓶内にピストンを有し、前記ピストンは前記ピストンロッドに接続され、前記トリガースイッチボタンは前記目盛りスクリューの上端に接続される
ことを特徴とする請求項１に記載の医用注射装置。
【請求項９】
前記薬水収容瓶は瓶カバーを介して前記ケーシング下端に固定され、前記瓶カバーの上端は前記第２の端蓋内に係止され、前記第２の端蓋は前記ケーシングの通孔腔体の下端に係止される
ことを特徴とする請求項８に記載の医用注射装置。
【請求項１０】
前記ラチェット内側壁にはその軸方向に沿って複数の案内溝が設置され、各案内溝は前記ラチェットの円周面に均一に分布し、前記目盛りスクリュー外壁には各案内溝に摺動接続される突起が成型する
ことを特徴とする請求項１に記載の医用注射装置。
【請求項１１】
前記駆動機構は第１のスリーブおよび駆動素子を含み、
前記第１のスリーブは前記ピストンロッドをカバーし、前記ピストンロッドを駆動して回動させ、
前記駆動素子は前記目盛りスクリューの腔体内に配置され、前記第２の端蓋の上方に設置される弾性プレス部材に当接され、前記駆動素子は前記第１のスリーブをつれて回動させ、前記目盛りスクリューおよび前記駆動素子は前記弾性プレス部材のプレス作用でラチェット機構を介して互いに噛み合い、
前記目盛りスクリューが螺旋上昇する時、前記駆動素子は前記弾性プレス部材の作用で直線上昇し、
前記目盛りスクリューが螺旋下降する時、前記駆動素子は前記ラチェット機構の噛み合いにより第１のスリーブをつれて回動させ、前記ピストンロッドは前記第１のスリーブにしたがって回動させ、螺旋下降して移動する
ことを特徴とする請求項１に記載の医用注射装置。
【請求項１２】
前記駆動素子は前記第１のスリーブをカバーする第２のスリーブであり、
前記第２のスリーブは前記第１のスリーブの上端に摺動接続され、前記第２のスリーブは前記目盛りスクリューが螺旋上昇する時、前記目盛りスクリューの軸方向に沿って摺動する
ことを特徴とする請求項１０に記載の医用注射装置。
【請求項１３】
前記第２のスリーブの上端に突起部が設置され、
前記第１のスリーブの上端に前記突起部に配合するための係止溝が設置され、
前記目盛りスクリューが螺旋上昇する時、前記突起部は前記係止溝内で上へ摺動し、前記目盛りスクリューが螺旋下降する時、前記突起部は前記係止溝内向で下へ摺動し、前記第２のスリーブをつれて回動させる
ことを特徴とする請求項１２に記載の医用注射装置。
【請求項１４】
前記突起部と係止溝との間に発生した相対摺動の最大変位は前記目盛りスクリュー上雄螺の長さの以下である
ことを特徴とする請求項１３に記載の医用注射装置。
【請求項１５】
前記ピストンロッドは、前記第１のスリーブの腔体内に設置される駆動部と、前記駆動部に接続されるネジ山段とを含み、
前記駆動部の断面は前記第１のスリーブの腔体の断面の形状および大きさに合わせて、前記駆動部は前記第１のスリーブが回動する時に同期回動し、前記ネジ山段を介して前記第２の端蓋のネジ山に互いに配合する
ことを特徴とする請求項１１に記載の医用注射装置。
【請求項１６】
前記ラチェット機構は、前記目盛りスクリューの腔体頂端内に設置される第１のラチェット歯と、前記第２のスリーブの頂端に設置されて前記第１のラチェット歯に互いに配合する第２のラチェット歯と、を含み、
前記第１のラチェット歯および前記第２のラチェット歯はいずれも円周になって分布する
ことを特徴とする請求項１０に記載の医用注射装置。
【請求項１７】
前記第１のスリーブおよび第２のスリーブの下端にはそれぞれ前記弾性プレス部材に当接するための第１の当接部および第２の当接部が設置され、
前記弾性片プレス部材は前記第１の当接部と第２の当接部との間に設置され、前記第１の当接部および第２の当接部を常に前記弾性片プレス部材に当接させる
ことを特徴とする請求項１２に記載の医用注射装置。
【請求項１８】
前記医用注射装置は、前記第１の端蓋の通孔に設置されて前記目盛りスクリューの上端に互いに係止する蓋体と、前記蓋体に設置される押圧蓋と、を含み、
前記押圧蓋の中心に定軸が設置され、前記定軸は前記蓋体の中空部分から前記目盛りスクリューの腔体内に挿入される
ことを特徴とする請求項１に記載の医用注射装置。
【請求項１９】
前記押圧蓋内表面の頂端に蓋体に接触して押圧するための突出リングが設置される
ことを特徴とする請求項１８に記載の医用注射装置。
【請求項２０】
前記第２の端蓋は前記ケーシングに一体成型し、前記第２の端蓋の端面は前記第１のスリーブの底部に互いに当接する
ことを特徴とする請求項１１に記載の医用注射装置。
【請求項２１】
前記投与量調節機構は、前記目盛りスクリューを駆動して回動させるラチェットと、前記第１の端蓋に摺動して設置されて前記ラチェットを駆動して回動させるキーとを含み、
前記キーは少なくとも一部が弾性部材であり、前記ラチェットのラチェット歯の歯溝に挿入することに用いられ、
前記ラチェットにおいての各ラチェット歯はラチェットの軸線を中心として回って分布し、
前記弾性部材は、前記キーが押圧された後、前記ラチェット歯にタッチして弾性変形が発生し、前記ラチェット歯の歯溝に滑り入り、前記ラチェットを押して回動させ、前記キーが解放された後、初期形状に復帰し、再び押圧された後、前記ラチェット歯に近隣するラチェット歯の歯溝に滑り入り、ラチェットを押して単方向回動させる
ことを特徴とする請求項１または請求項１０〜２０のいずれか１項に記載の医用注射装置。
【請求項２２】
各ラチェット歯の歯面はいずれも前記ラチェットの内側から外側へ傾斜して延伸し、各ラチェット歯の頂端はその近隣するラチェット歯の頂端と底端との間に位置し、
前記弾性部材は前記キーが押圧された時、対応するラチェット歯の頂端からその歯面に沿ってその底端までに摺動し、前記ラチェットを押して回動させる
ことを特徴とする請求項２１に記載の医用注射装置。
【請求項２３】
前記ラチェットのラチェット歯の歯面は少なくとも一部が螺旋面であり、または前記ラチェットのラチェット歯の歯面は傾斜の平面である
ことを特徴とする請求項２２に記載の医用注射装置。
【請求項２４】
各ラチェット歯の歯背にいずれも前記弾性部材に対して位置規制を行うための位置規制溝が開設され、各位置規制溝はいずれも各自が対応する歯背とその近隣するラチェット歯の底端とが接続される箇所に位置する
ことを特徴とする請求項２１に記載の医用注射装置。
【請求項２５】
前記医用注射装置はケーシング内に設置されて前記キーをプレスする圧縮ばねをさらに含み、前記圧縮ばねは、前記キーが解放された後、前記キーを初期位置にプレスし、対応するラチェット歯と互いに分離し、
前記圧縮ばねの伸縮可能な長さは対応するラチェット歯の頂端およびその底端の前記ラチェット軸方向においての距離の以上である
ことを特徴とする請求項２１に記載の医用注射装置。
【請求項２６】
前記弾性部材は湾曲段および前記湾曲段に接続される鉛直段を含み、前記鉛直段は前記ラチェットの軸方向に平行する
ことを特徴とする請求項２１に記載の医用注射装置。
【請求項２７】
前記鉛直段において前記ラチェットに対向する部分は弧形面であり、前記鉛直段の幅はそれに接続される前記湾曲段の一端からその底端までに徐々に小さくなる
ことを特徴とする請求項２６に記載の医用注射装置。
【請求項２８】
前記キーは、前記弾性部材に接続される接続片と、前記接続片に係止接続されるキー本体とを含み、前記接続片は前記圧縮ばねにより当接される
ことを特徴とする請求項２１に記載の医用注射装置。
【請求項２９】
キー構成は端蓋をさらに含み、端蓋に前記接続片を収容するための溝体が開設され、前記溝体の長さは前記接続片の長さより大きい
ことを特徴とする請求項２８に記載の医用注射装置。
【請求項３０】
前記医用注射装置は前記ラチェット回転を限定するための保護機構をさらに含み、前記保護機構は安全スイッチおよびロック機構を含み、前記ロック機構は前記ラチェットの円周面に設置されるロック棘歯を含み、
前記安全スイッチは回動可能に前記ケーシング側壁においての取付孔内に設置され、前記安全スイッチを回転させた後、前記安全スイッチのスプリングボルトは前記ロック棘歯に互いに噛み合うまたは分離する
ことを特徴とする請求項１〜２９のいずれか１項に記載の医用注射装置。
【請求項３１】
前記安全スイッチは繋金を介して前記ケーシング側壁においての取付孔内に係止される
ことを特徴とする請求項３０に記載の医用注射装置。
【請求項３２】
前記医用注射装置は、ニードル保護カバー、および保護カバーリセット部材をさらに含み、
前記薬水収容瓶は瓶カバーを介して前記ケーシング下端に固定され、
前記瓶カバー上端は前記第２の端蓋内に係止され、前記ニードル保護カバーは前記瓶カバーの内腔壁に対して摺動でき、前記瓶カバー内腔下端に嵌設され、
前記保護カバーリセット部材は前記ニードル保護カバーと前記瓶カバー内腔壁との間に設置され、外力作用で前記ニードル保護カバーを前記瓶カバー内に押圧し、外力を解放した後、前記ニードル保護カバーを前記瓶カバー内から延出させる
ことを特徴とする請求項８または９に記載の医用注射装置。
【請求項３３】
前記第２の端蓋は前記ケーシングの通孔腔体下端に係止される
ことを特徴とする請求項３２に記載の医用注射装置。
【考案の詳細な説明】
【技術分野】
【０００１】
本考案は医用器械技術分野に関し、特に、投与量調節可能な医用注射装置に関する。
【背景技術】
【０００２】
自動注射装置は、常用な医療器械として、マニュアルによる挿入、注射等を取り替えることができ、要求する投与量を精確に押し出すことができる。
【０００３】
特許文献１に開示される投与装置は、雌螺を有するケーシングと、ケーシングの雌螺に噛み合うネジ山を有する投与量選択スリーブと、着脱可能に投与量選択スリーブに接続される回転スリーブと、投与量選択スリーブと回転スリーブとの間に配置されるアダプタとを含み、投与量選択スリーブと回転スリーブは結合する時、ケーシングに対して回転できる。投与量選択スリーブと回転スリーブが分離すると、投与量選択スリーブはケーシングに対して回転でき、ケーシングに対する回転スリーブの回転が阻止され、これによって、回転スリーブの軸方向移動を実現し、力を縦方向に沿って投与装置の近端の端部に伝達する。この投与装置において、全体構造の部品数が多く、各部品の加工精度が高く要求され、組立の難度が大きい。例えば、回転スリーブ内壁にピストンロッドと第１のネジ山とが配合するためのネジ山が設置され、ピストンロッドには第２のネジ山を設置する必要があり、第２のネジ山は第１のネジ山と逆方向に設置される必要がり、アダプタに配合して伝動する音声器には柔性の螺旋型延伸臂を設置する必要があり、特定方向に沿って臂に設置される歯付きの部品等が必要がある。また、使用過程において、内部部品はくい違いまたは破損しやすく、注射装置の失効を招きやすい。
【０００４】
特許文献２により開示される計量装置は、注射装置に設置され、またはこの注射装置の一部として設置される。この計量装置は注射装置の後端部に設置されて注射装置の縦軸線周りに回転する調節スリーブ、回転スリーブを含む。回転スリーブは雄螺を有し、この雄螺は注射装置またはこの注射装置のケーシングの雌螺に噛み合う。回転スリーブは雌螺を有し、連動する雄螺はこの雌螺に噛み合い、回転スリーブおよび注射装置またはそのケーシングがネジ山噛み合いにあり、かつ連動部品とネジ山噛み合いにある。連動部品は捻転できず軸方向移動可能にスクリューに指示され、２つの対向するガイドを有し、この２つのガイドは軸方向にスクリューに沿って延伸する案内溝に噛み合い、これによって、常にこのスクリューの回転を連動部品に伝達し、この連動部品はスクリューとともに回転し、つまり、この連動部品は例えば、完全に回転スリーブに回転される時、このスクリューの回転を阻止できる。この注射装置において、全体構成の部品が多く、各部品の加工精度の要求が高く、組立難度が大きく、例えば、連動部品に配合するスクリューは螺旋分布するラチェット歯を設置する必要があり、回転スリーブの内外にはネジ山等が設置される。
【０００５】
したがって、従来の技術においての注射装置の構成が煩雑であり、加工難度が大きく、組立が複雑であり、操作が不便であり、製造コストが高い。
【先行技術文献】
【特許文献】
【０００６】
【特許文献１】ＷＯ２００４／０７８２３９Ａ１
【特許文献２】ＣＮ１０１１８４５２１Ａ
【考案の概要】
【考案が解決しようとする課題】
【０００７】
本考案の目的は構成が簡単であり、容易に組み立て、製造コストが低い医用注射装置を提供することにある。
【０００８】
本考案の他の目的は自動注射装置が押圧される時、ピストンロッドが駆動素子の駆動から脱逸しなく、伝動の安定性を保持する医用注射装置を提供することにある。
【０００９】
本考案の他の目的は誤動作により薬瓶内に収納される薬物が押圧されて噴出することを防止する医用注射装置を提供することにある。
【課題を解決するための手段】
【００１０】
上述した目的を実現するために、本考案の技術案は以下のとおりである。
本考案に係る医用注射装置は、
両端部にそれぞれ第１の端蓋、第２の端蓋が設置されるケーシングと、
前記第１の端蓋のネジ山に接続される目盛りスクリューと、
薬剤を押し出すことに用いられ、上端は前記目盛りスクリューに駆動機構を介して接続され、下端は前記第２の端蓋のネジ山に接続されるピストンロッドと、を含み、
前記医用注射装置はさらに、前記目盛りスクリューを連れて前記ケーシング軸方向に沿って移動させるための、前記目盛りスクリューと前記ケーシングとの間に設置される投与量調節機構を含み、
前記目盛りスクリューが螺旋上昇する時、前記駆動機構は少なくとも一部が前記目盛りスクリューにしたがって直線上昇し、前記目盛りスクリューが螺旋下降する時、前記駆動機構は少なくとも一部が前記目盛りスクリューにしたがって螺旋下降して移動し、前記ピストンロッドを駆動して同期螺旋下降して移動する。
【００１１】
さらに、前記投与量調節機構は調節キー、ラチェットを含み、前記調節キーは摺動して前記ケーシングに設置され、前記ラチェットを駆動して回動させることに用いられ、前記ラチェットは前記目盛りスクリューをカバーし、前記目盛りスクリューを駆動して回動させることに用いられる。
【００１２】
さらに、前記ラチェットは前記目盛りスクリュートルクに接続され、前記調節キーは前記目盛りスクリューをカバーし、外力作用で、前記調節キー下端の頂尖は前記ラチェットのラチェット歯に貼り合わせ、前記ケーシング側壁に前記ケーシング軸方向に沿って設置されるバー状通孔が設置され、前記調節キー側壁に前記バー状通孔を延伸して貫通する凸点が成型され、前記調節キーは押圧される時、前記ラチェットのラチェット歯に配合し、前記ラチェットを駆動して単方向回動させ、前記目盛りスクリューは前記ラチェット作用で同期回動する。
【００１３】
上述した技術案において、ラチェットのラチェット歯がラチェットの上端面に設置され、構成が簡単であり、製造コストが低く、キーを調節して上下移動し、ラチェットを駆動して単方向回転させ、操作が簡単であり、投与量の調節精度要求に応じて、異なるラチェット歯の数及び歯面傾斜角度を設置することにより、投与量の精細な調節を実現する。
【００１４】
さらに、前記調節キーの上端と前記第１の端蓋との間に前記調節キーを復帰させるための引張ばねが設置される。引張ばねにより調節キーと第１の端蓋の接続を調節し、調節キーが最下方までに移動する時、引張ばねの作用で、自動で最高点に復帰し、使用が利便である。
【００１５】
さらに、前記駆動機構は、前記ピストンロッドにトルク接続される駆動素子と、前記駆動素子の下端に当接し、前記目盛りスクリューが前記駆動素子にラチェット機構を介して互いに噛み合う接続を保持することに用いられる弾性プレス部材と、を含み、前記目盛りスクリューが螺旋上昇する時、前記駆動素子は前記弾性プレス部材の作用で前記目盛りスクリューにしたがって直線上昇し、前記ピストンロッドとの間に相対摺動を発生させ、前記目盛りスクリューが螺旋下降する時、前記目盛りスクリューは前記ラチェット機構の噛み合いにより前記駆動素子をつれて回動させ、前記ピストンロッドは前記駆動素子の回動にしたがって、螺旋下降して移動する。
【００１６】
さらに、前記ラチェットのラチェット歯は前記ラチェットの円周方向に沿って延伸して前記ラチェットの円周面に設置され、前記ラチェット機構は、前記駆動素子の円周面に設置されるラチェット歯と、前記目盛りスクリュー内壁に設置されるつめと、を含み、前記つめは前記ラチェット歯に互いに噛み合い、前記ラチェットのラチェット歯の歯面は前記駆動素子のラチェット歯の歯面の傾斜方向に対して逆になる。
【００１７】
さらに、前記ラチェットのラチェット歯は前記ラチェットの円周方向に沿って延伸して前記ラチェットの上端面に設置され、前記ラチェット機構は、前記駆動素子の上端面に設置されるラチェット歯と、前記目盛りスクリューに設置されるつめとを含み、前記つめは前記ラチェット歯に互いに噛み合い、前記ラチェットのラチェット歯の歯面は前記駆動素子のラチェット歯の歯面の傾斜方向と同じである。
【００１８】
上述した技術案において、駆動素子下端に弾性プレス部材が設置され、弾性プレス部材の作用で、目盛りスクリューが回転して第１の端蓋から延出した過程において、駆動素子上端表面に設置されるラチェット歯と目盛りスクリュー下端に設置されるつめとを常に貼り合わせ、トリガースイッチボタンを押す時、ピストンロッドと目盛りスクリューとを同期回転させ、押し出した薬投与量と調節した投与量とが同じであることを保証し、押し出した投与量の精細度を向上させる。
【００１９】
さらに、前記医用注射装置は、薬水収容瓶、およびトリガースイッチボタンをさらに含み、前記薬水収容瓶は前記ケーシングの下端に設置され、前記薬水収容瓶内にピストンを有し、前記ピストンは前記ピストンロッドに接続され、前記トリガースイッチボタンは前記目盛りスクリューの上端に接続される。
【００２０】
さらに、前記薬水収容瓶は瓶カバーを介して前記ケーシング下端に固定され、前記瓶カバーの上端は前記第２の端蓋内に係止され、前記第２の端蓋は前記ケーシングの通孔腔体の下端に係止される。
【００２１】
上述した技術案において、係止方式により各部品を一体に接続させ、組立を容易にする。
【００２２】
さらに、前記ラチェット内側壁にはその軸方向に沿って複数の案内溝が設置され、各案内溝は前記ラチェットの円周面に均一に分布し、前記目盛りスクリュー外壁には各案内溝に摺動接続される突起が成型する。スクリュー駆動カムの内側壁に案内溝を設置し、目盛りスクリュー外壁に案内溝に摺動して接続される突起を設置し、案内溝が突起に配合し、目盛りスクリューとスクリュー駆動カムとの間にトルク伝達を形成させ、目盛りスクリューが回転する時、突起が案内溝内に摺動し、３つの案内溝がスクリュー駆動カムの円周面に均一に分布し、構成が簡単であり、均一に力を受け、投与量を調節する時、さらにスムーズになる。
【００２３】
さらに、前記駆動機構は第１のスリーブおよび駆動素子を含み、前記第１のスリーブは前記ピストンロッドをカバーし、前記ピストンロッドを駆動して回動させ、前記駆動素子は前記目盛りスクリューの腔体内に配置され、前記第２の端蓋の上方に設置される弾性プレス部材に当接され、前記駆動素子は前記第１のスリーブをつれて回動させ、前記目盛りスクリューおよび前記駆動素子は前記弾性プレス部材のプレス作用でラチェット機構を介して互いに噛み合い、前記目盛りスクリューが螺旋上昇する時、前記駆動素子は前記弾性プレス部材の作用で直線上昇し、前記目盛りスクリューが螺旋下降する時、前記駆動素子は前記ラチェット機構の噛み合いにより第１のスリーブをつれて回動させ、前記ピストンロッドは前記第１のスリーブにしたがって回動させ、螺旋下降して移動する。
【００２４】
この伝動構成において、目盛りスクリューの腔体内にはピストンロッドと、ピストンロッドをカバーする第１のスリーブと、第１のスリーブを駆動して回動させる駆動素子とが設置され、弾性プレス部材のプレス作用で、目盛りスクリューと駆動素子とを常にラチェット機構を介して互いに噛み合い、移動接続を保持し、それとともに、目盛りスクリューが螺旋上昇する時、駆動素子が弾性プレス部材の作用で直線上昇し、第１のスリーブとの間に相対変位が発生するため、目盛りスクリューが螺旋下降する時、駆動素子がラチェット機構の噛み合い作用で目盛りスクリューに連れられ、螺旋下降して移動する同時に第１のスリーブをつれて回動させ、ピストンロッドが第１のスリーブに従って回動することを保証し、第２の端蓋のネジ山の配合で螺旋下降して移動し、第１のスリーブの長さが設計要求を満たす場合に、ピストンロッドが回動する過程において第１のスリーブとの互な分離を最大限に回避し、ピストンロッドが駆動素子の駆動から脱逸することを防止し、ピストンロッドの持続回動を実現し、目盛りスクリューに表示した目盛りで薬瓶中の薬液を押し出し、自動注射装置中の薬量を充分に利用させ、伝動過程の安定性を保持する。
【００２５】
さらに、前記駆動素子は前記第１のスリーブをカバーする第２のスリーブでり、前記第２のスリーブは前記第１のスリーブの上端に摺動接続され、前記第２のスリーブは前記目盛りスクリューが螺旋上昇する時、前記目盛りスクリューの軸方向に沿って摺動する。
【００２６】
さらに、前記第２のスリーブの上端に突起部が設置され、前記第１のスリーブの上端に前記突起部に配合するための係止溝が設置され、前記目盛りスクリューが螺旋上昇する時、前記突起部は前記係止溝内で上へ摺動し、前記目盛りスクリューが螺旋下降する時、前記突起部は前記係止溝内向で下へ摺動し、前記第２のスリーブをつれて回動させる。
【００２７】
さらに、前記突起部と係止溝との間に発生した相対摺動の最大変位は前記目盛りスクリュー上雄螺の長さの以下である。
【００２８】
さらに、前記ピストンロッドは、前記第１のスリーブの腔体内に設置される駆動部と、前記駆動部に接続されるネジ山段とを含み、前記駆動部の断面は前記第１のスリーブの腔体の断面の形状および大きさに合わせて、前記駆動部は前記第１のスリーブが回動する時に同期回動し、前記ネジ山段を介して前記第２の端蓋のネジ山に互いに配合する。
【００２９】
さらに、前記ラチェット機構は、前記目盛りスクリューの腔体頂端内に設置される第１のラチェット歯と、前記第２のスリーブの頂端に設置されて前記第１のラチェット歯に互いに配合する第２のラチェット歯とを含み、前記第１のラチェット歯および前記第２のラチェット歯はいずれも円周になって分布する。
【００３０】
さらに、前記第１のスリーブおよび第２のスリーブの下端にはそれぞれ前記弾性プレス部材に当接するための第１の当接部および第２の当接部が設置され、前記弾性片プレス部材は前記第１の当接部と第２の当接部との間に設置され、前記第１の当接部および第２の当接部を常に前記弾性片プレス部材に当接させる。
【００３１】
さらに、前記医用注射装置は、前記第１の端蓋の通孔に設置されて前記目盛りスクリューの上端に互いに係止する蓋体と、前記蓋体に設置される押圧蓋と、を含み、前記押圧蓋の中心に定軸が設置され、前記定軸は前記蓋体の中空部分から前記目盛りスクリューの腔体内に挿入される。
【００３２】
さらに、前記押圧蓋内表面の頂端に蓋体に接触して押圧するための突出リングが設置される。
【００３３】
さらに、前記第２の端蓋は前記ケーシングに一体成型し、前記第２の端蓋の端面は前記第１のスリーブの底部に互いに当接する。
【００３４】
さらに、前記投与量調節機構は、前記目盛りスクリューを駆動して回動させるラチェットと、前記第１の端蓋に摺動して設置されて前記ラチェットを駆動して回動させるキーとを含み、前記キーは少なくとも一部が弾性部材であり、前記ラチェットのラチェット歯の歯溝に挿入することに用いられ、前記ラチェットにおいての各ラチェット歯はラチェットの軸線を中心として回って分布し、前記弾性部材は、前記キーが押圧された後、前記ラチェット歯にタッチして弾性変形が発生し、前記ラチェット歯の歯溝に滑り入り、前記ラチェットを押して回動させ、前記キーが解放された後、初期形状に復帰し、再び押圧された後、前記ラチェット歯に近隣するラチェット歯の歯溝に滑り入り、ラチェットを押して単方向回動させる。
【００３５】
さらに、各ラチェット歯の歯面はいずれも前記ラチェットの内側から外側へ傾斜して延伸し、各ラチェット歯の頂端はその近隣するラチェット歯の頂端と底端との間に位置し、前記弾性部材は前記キーが押圧された時、対応するラチェット歯の頂端からその歯面に沿ってその底端までに摺動し、前記ラチェットを押して回動させる。
【００３６】
さらに、前記ラチェットのラチェット歯の歯面は少なくとも一部が螺旋面であり、または前記ラチェットのラチェット歯の歯面は傾斜の平面である。
【００３７】
さらに、各ラチェット歯の歯背にいずれも前記弾性部材に対して位置規制を行うための位置規制溝が開設され、各位置規制溝はいずれも各自が対応する歯背とその近隣するラチェット歯の底端とが接続される箇所に位置する。
【００３８】
さらに、前記医用注射装置はケーシング内に設置されて前記キーをプレスする圧縮ばねをさらに含み、前記圧縮ばねは、前記キーが解放された後、前記キーを初期位置にプレスし、対応するラチェット歯と互いに分離し、前記圧縮ばねの伸縮可能な長さは対応するラチェット歯の頂端およびその底端の前記ラチェット軸方向においての距離の以上である。
【００３９】
さらに、前記弾性部材は湾曲段および前記湾曲段に接続される鉛直段を含み、前記鉛直段は前記ラチェットの軸方向に平行する。
【００４０】
さらに、前記鉛直段において前記ラチェットに対向する部分は弧形面であり、前記鉛直段の幅はそれに接続される前記湾曲段の一端からその底端までに徐々に小さくなる。
【００４１】
さらに、前記キーは、前記弾性部材に接続される接続片と、前記接続片に係止接続されるキー本体とを含み、前記接続片は前記圧縮ばねにより当接される。
【００４２】
さらに、キー構成は端蓋をさらに含み、端蓋に前記接続片を収容するための溝体が開設され、前記溝体の長さは前記接続片の長さより大きい。
【００４３】
さらに、前記医用注射装置は前記ラチェット回転を限定するための保護機構をさらに含み、前記保護機構は安全スイッチおよびロック機構を含み、前記ロック機構は前記ラチェットの円周面に設置されるロック棘歯を含み、前記安全スイッチは回動可能に前記ケーシング側壁においての取付孔内に設置され、前記安全スイッチを回転させた後、前記安全スイッチのスプリングボルトは前記ロック棘歯に互いに噛み合うまたは分離する。
【００４４】
上述した技術案において、保護機構でラチェットの回転を限定し、目盛りスクリューが回転してピストンロッドをつれて回転させることを防止し、投与量を調節した後、ラチェットが回転することによる投与量低減を防止し、不意にトリガースイッチにタッチして薬物を押圧して射出させ、浪費になることを防止し、薬物の安全性を向上させ、構成が簡単であり、操作が利便である。
【００４５】
さらに、前記安全スイッチは繋金を介して前記ケーシング側壁においての取付孔内に係止される。
【００４６】
さらに、前記医用注射装置は、ニードル保護カバー、および保護カバーリセット部材をさらに含み、前記薬水収容瓶は瓶カバーを介して前記ケーシング下端に固定され、前記瓶カバー上端は前記第２の端蓋内に係止され、前記ニードル保護カバーは前記瓶カバーの内腔壁に対して摺動でき、前記瓶カバー内腔下端に嵌設され、前記保護カバーリセット部材は前記ニードル保護カバーと前記瓶カバー内腔壁との間に設置され、外力作用で前記ニードル保護カバーを前記瓶カバー内に押圧し、外力を解放した後、前記ニードル保護カバーを前記瓶カバー内から延出させる。
【００４７】
上述した技術案において、ニードル保護カバーは保護カバーリセット部材の作用で、ニードルがそのカバーにより覆われ、これによって、ニードルの作用を保護し、それとともに、ニードルによる人を刺すことを防止する。
【００４８】
さらに、前記第２の端蓋は前記ケーシングの通孔腔体下端に係止される。
【考案の効果】
【００４９】
本考案は以上の技術案を用いるため、以下の有益な効果を有する。
従来の技術に比べて、本考案の医薬射装置は、構成が簡単であり、調節が容易であり、調節精度が高く、安全性が高く、操作が利便であり、製造コストが低い等のメリットを有する。
【図面の簡単な説明】
【００５０】
【図１】本考案の実施例１に係る医用注射装置の構成を示す図である。
【図２】図１においてのケーシングを省略した構成を示す図である。
【図３】本考案の実施例１に係る医用注射装置の断面を示す図である。
【図４】本考案の実施例１に係るピストンロッドが駆動素子、第２の端蓋に接続される断面構成を示す図である。
【図５】本考案の実施例１に係るラチェットと目盛りスクリューとの接続構成を示す図である。
【図６】本考案の実施例１に係る目盛りスクリューの構成を示す図である。
【図７】本考案の実施例１に係る他の形態のラチェットと駆動機構の構成を示す図である。
【図８】本考案の実施例２に係る医用注射装置の外部構成を示す図である。
【図９】本考案の実施例２に係る医用注射装置の分解図である。
【図１０】本考案の実施例２に係る目盛りスクリュー内の部品図である。
【図１１】本考案の実施例２に係る第１のスリーブと第２のスリーブの組立を示す図である。
【図１２】本考案の実施例２に係る内部の断面を示す図である。
【図１３】図１２においてＡ視図の局部拡大を示す図である。
【図１４】図１２においてＢ視図の局部拡大を示す図である。
【図１５】本考案の実施例２に係るケーシング内部の構成を示す図である。
【図１６】本考案の実施例２に係るケーシング内部の側面を示す図である。
【図１７】図１６においてＣ視図の局部拡大を示す図である。
【図１８】本考案の実施例２に係る弾性部材の構成を示す図である。
【図１９】本考案の実施例２に係るラチェットの構成を示す図である。
【図２０】本考案の実施例３に係る医用注射装置の構成を示す図である。
【図２１】本考案の実施例３に係る安全スイッチとロック機構が噛み合う時の構成を示す図である。
【図２２】本考案の実施例３に係る医用注射装置の断面を示す図である。
【図２３】本考案の実施例３に係るニードル保護機構の構成示意図である。
【図２４】本考案の実施例３に係る安全スイッチとロック機構が分離する時の構成示意図である。
【図２５】図２４においてＤ視図の局部拡大を示す図である。
【図２６】本考案の実施例３に係る安全スイッチとロック機構が噛み合う時の断面を示す図である。
【図２７】本考案の実施例３に係る安全スイッチの構成を示す図である。
【考案を実施するための形態】
【００５１】
以下、本考案の実施例における図面に合わせて、本考案の実施例における技術案を詳細に説明する。無論、説明した実施例はただ本考案の一部の実施例であるが、すべての実施例ではない。本考案における実施例に基づき、当業者は、創造的な労働をしない時に取得した他の実施例はいずれも本考案の保護の範囲に含まれるものである。
【００５２】
（実施例１）
図１〜図７に示すように、本考案の実施例１により提供される投与量調節可能な医用注射装置は、ケーシング１０と、ケーシング１０の通孔内腔一端に設置され、ピストン３４を有する薬水収容瓶と、トリガースイッチボタン２ａと、ピストンロッド２１と、目盛りスクリュー９と、ケーシング１０内に設置される投与量調節機構および駆動機構とを含む。ケーシング１０は、上端に第１の端蓋１３が設置され、下端に第２の端蓋１９が設置される。第２の端蓋１９はケーシング１０の通孔腔体下端に係止される。第１の端蓋１３、第２の端蓋１９の中部にはいずれも通孔が設置される。薬水収容瓶は瓶カバーによりケーシング１０の下端に固定される。瓶カバーの上端は第２の端蓋１９内に係止される。投与量調節機構は調節キー４ａおよびラチェット２を含む。ラチェット２はケーシング１０の通孔腔体内に嵌設される。ラチェット２は目盛りスクリュー９をカバーし、目盛りスクリュー９とトルク方式で接続され、両者は互いに軸方向に沿って摺動できる。本考案に言うトルク方式で接続されることは、互いに接続される２つの物体または部品は、一方の物体または部品は他方の物体または部品をつれて回動させることである。本実施例において、ラチェット２内側壁には、その軸方向に沿って案内溝が設置され、目盛りスクリュー９の外壁には案内溝に摺動して接続される突起が設置され、案内溝と突起の配合により、目盛りスクリュー９とラチェット２の間にトルク伝達が形成される。ラチェット２、目盛りスクリュー９が回転する時、突起は案内溝内を摺動し、均一に受力し、順調に調節するために、案内溝は３つ設置され、均一にラチェット２の円周面上に分布される。ラチェット２の鋸歯面は調節キー４ａに接続され、駆動調節キー４ａによりラチェット２を単方向回転させる。目盛りスクリュー９の外壁には第１の端蓋１３中部の通孔上の雌螺に配合接続される雄螺が設置される。目盛りスクリュー９の上端はトリガースイッチボタン２ａに接続され、目盛りスクリュー９の下端は駆動素子７１に接続される。駆動素子７１の下端はピストンロッド２１に伝達トルクの方式で接続される。具体的には、駆動素子７１は伝達トルクするために、ピストンロッド２１上端においての方形ロッドをカバーする。ピストンロッド２１の外壁には第２の端蓋１９中部の通孔上の雌螺に配合接続される雄螺が設置される。
【００５３】
駆動素子７１の上端面において、駆動素子７１の円周に沿って鋸歯面が上に向く第１のラチェットが設置される。目盛りスクリュー９には第１のラチェットに配合するつめ６２が設置される。本実施例において、目盛りスクリュー９はピストンロッド２１をカバーする。駆動素子２１及びピストンロッド２１の上端部は目盛りスクリュー９の腔体内に位置する。つめ６２は目盛りスクリュー９の腔体頂壁に設置される。駆動素子７１下端と第２の端蓋１９との間には、駆動素子７１上端の第１のラチェットと目盛りスクリュー９腔体頂壁上のつめ６２とを常に噛み合う状態に保持させるための圧縮ばね７２が設置される。投与量を調節した後、トリガースイッチボタン２ａを押して目盛りスクリュー９をつれて螺旋下降させる時、第１のラチェットとつめ６２との噛み合う作用で、ピストンロッド２１が同時に回動し、調節した投与量と押されて注射した薬投与量とが同じであることを保証する。
【００５４】
本考案の好ましい形態は、ラチェット２のラチェット歯はラチェット２円周に沿って延伸してラチェット２の上端面に設置される。ラチェット２の歯面と第１のラチェットの歯面との傾斜方向は同じである。
【００５５】
調節キー４ａは目盛りスクリュー９をカバーする。調節キー４ａの下端に頂尖４２を有する。頂尖４２の尖部は外力作用でラチェット２の歯面に貼り合わせることができる。ケーシング１０の側壁には、ケーシング１０の軸方向に沿って設置されるバー状通孔が設置される。調節キー４ａの側壁に、延伸してバー状通孔を通る凸点４１が成型される。凸点４１は、ケーシング１０の外側までに延伸し、凸点４１の作用が、ユーザの指が外力を凸点に加えて、調節キー４ａ全体をつれてケーシング１０の軸線方向に沿って移動させることを利便にする。無論、利便に調節キー４ａをつれて移動させる構成により凸点４１を替えても良い。操作を利便にするために、調節キー４ａの上端と第１の端蓋１３との間に引張ばね４３が設置され、調節キー４ａがバー状通孔の最下方までに移動した時、外力を解放した後、引張ばね４３の作用で、調節キー４ａが自動でバー状通孔の最高点までに復帰でき、次回の調節を利便にする。
【００５６】
初期状態で、トリガースイッチボタン２ａの下端とケーシング１０の上端とは互いに貼り合わせる。ピストンロッド２１はピストン３４をつれて薬水収容瓶の最高位置に位置し、これによって、ユーザが操作する時、注射ごとの薬投与量により、調節キーでラチェットを駆動して単方向回転させ、目盛りスクリューはその外壁に設置される雄螺と第１の端蓋の通孔に設置される雌螺との配合接続により、ラチェット２との同期回転を実現する。ラチェット２が特定角度までに回転した後、目盛りスクリュー９は第１の端蓋１３に対して外へ特定変位を延出し、この変位は目盛りスクリュー９表面に設置される目盛りにより現れるが、ユーザは目盛りを調節した後、トリガースイッチボタン２ａ下端が再びケーシング１０の上端に貼り合わせるように、トリガースイッチボタン２ａを押し、目盛りスクリュー９を逆方向回転させる。これによって、調節した投与量の注射を完成させ、薬投与量の過量射出を防止するために、この時、目盛りスクリュー９は第１の端蓋１３内までに引っ込める。
【００５７】
本実施例の動作原理は以下のとおりである。
調節キー４ａを駆動して下へ移動させる。調節キー４ａの頂尖４２はラチェット２上端のラチェット歯面に当接し、ラチェット２を単方向回転させる。目盛りスクリュー９は突起と案内溝の作用でラチェット２と同期して回転する。目盛りスクリュー９の外壁に設置される雄螺と第１の端蓋１３の通孔に設置される雌螺とは配合して接続される。ラチェット２が特定角度を回転した後、目盛りスクリュー９は第１の端蓋１３に対して外へ特定変位を延出し、この変位は目盛りスクリュー９表面に設置される目盛りにより現れる。目盛りを調節した後、トリガースイッチボタン２ａを押し、トリガースイッチボタン２ａは目盛りスクリュー９を逆方向回転させ、螺旋下降して第１の端蓋１３内に引っ込める。目盛りスクリュー９のつめ６２は駆動素子７１上端面においての第１のラチェットに噛み合って接続され、ピストンロッド２１をつれて同期回動させる。ピストンロッド２１の外壁に設置される雄螺と第２の端蓋１９の通孔に設置される雌螺が配合して接続するにより、ピストンロッド２１はピストン３４をつれて薬水収容瓶に対して下へ移動し、これによって、調節した投与量の薬液を押し出す。
【００５８】
図７に示すように、本実施例において、ラチェット２のラチェット歯はラチェット２円周に沿って延伸してラチェット２の円周面に設置される。ラチェット２のラチェット歯に対応するケーシング１０においての箇所にはケーシング１０周方向に沿って延伸するバー状通孔が設置される。調節キー４ａの側壁には延伸してバー状通孔を通る凸点が成型され、調節キー４ａの内壁にはラチェット２のラチェット歯に噛み合うつめが成型される。駆動素子７１の円周面に第２のラチェットが設置される。目盛りスクリュー９の内壁に第２のラチェットに配合するつめ６２が設置される。ラチェット２の歯面と第２のラチェットの歯面とは傾斜方向が逆となる。
【００５９】
（実施例２）
図８〜図１９に示すように、本考案の実施例２により提供される他の医用注射装置は主に、ケーシング１０と、ケーシング１０内に設置されて腔体を有する目盛りスクリュー９と、ケーシング１０上端および下端にそれぞれ設置される第１の端蓋１３および第２の端蓋１９と、薬液を押圧するためのピストンロッド２１と、ピストンロッド２１をカバーして回動させる第１のスリーブ２０と、目盛りスクリュー９の腔体内に配置されて第１のスリーブ２０を回動させる駆動素子と、第２の端蓋１９上方に設置されて駆動素子に当接する弾性プレス部材とから構成される。
【００６０】
好ましくは、実際応用時の設計および組立要求を満たし、プロセスを最適化し、コストを減らすために、図１２および図１４に示すように、第２の端蓋１９とケーシング１０とは一体成型し、且つその端面が第１のスリーブ２０の底部に互いに当接する。また、目盛りスクリュー９の上端は第１の端蓋１３のネジ山に配合して接続されるが、ピストンロッド２１は第２の端蓋１９の通孔を通り、この通孔内壁の雌螺に配合して接続される。なお、実際操作の過程では、目盛りスクリュー９が外力の駆動で回動し、第１の端蓋１３の配合作用で螺旋上昇する時に、駆動素子は弾性プレス部材のプレス作用で直線上昇して移動し、そしてラチェット機構と目盛りスクリュー９により常に互いに噛み合うが、互いに回動しない。目盛りスクリュー９が螺旋下降する時に、駆動素子は弾性プレス部材のプレス作用でラチェット機構の噛み合いにより第１のスリーブ２０をつれて回動させるが、ピストンロッド２１が第１のスリーブ２０の回動にしたがって回動し、螺旋下降して移動する。
【００６１】
以上により、この医用注射装置において、目盛りスクリュー９の腔体内には、ピストンロッド２１と、ピストンロッド２１をカバーする第１のスリーブ２０と、第１のスリーブ２０を駆動して回動させるための駆動素子とが設置され、かつ弾性プレス部材のプレス作用により、目盛りスクリュー９と駆動素子とをラチェット機構を介して常に互いに噛み合わせ、移動可能な接続を保持し、それとともに、目盛りスクリュー９が第１の端蓋の作用で螺旋上昇する時、駆動素子は弾性プレス部材の作用で直線上昇し、かつ第１のスリーブ２０との間に相対変位が発生するため、目盛りスクリュー９が螺旋下降する時、駆動素子はラチェット機構の噛み合う作用で目盛りスクリュー９により連れられ、螺旋下降して移動するとともに第１のスリーブ２０を連れて回動させ、第１のスリーブ２０を連れて回動させ、ピストンロッド２１が第１のスリーブ２０に従って回動することを確保し、かつ第２の端蓋１９のネジ山により螺旋下降して移動し、そして、第１のスリーブ２０の長さが設計要求を満たす場合に、ピストンロッド２１の回動の過程において第１のスリーブ２０との相互分離を最大限に回避し、ピストンロッド２１の駆動素子の駆動からの脱逸を防止し、ピストンロッド２１の持続回動を実現し、かつ目盛りスクリュー９に表示した目盛りで薬瓶（図示せず）中の薬液を押し出し、自動注射装置中の薬量の充分な利用を保証し、伝動過程の安定性を保持する。
【００６２】
具体的には、図１０、図１１に示すように、実際応用中の設計と組立要求を満たすように、上述した駆動素子は第１のスリーブ２０をカバーする第２のスリーブ２２であり、且つ第１のスリーブ２０は第２のスリーブ２２の上端に摺動して接続される。このようにして、第１のスリーブ２０と第２のスリーブ２２は互いに配合することにより、第２のスリーブ２２は目盛りスクリュー９の螺旋上昇の過程において、目盛りスクリュー９の軸方向に沿って摺動し、第１のスリーブ２０を連れて回動させない。
【００６３】
図１０に示すように、ピストンロッド２１は主に駆動部２１１および駆動部２１１に接続されるネジ山段（図示せず）より構成され、かつ、駆動部２１１の断面は第２のスリーブ２２の腔体断面の形状および大きさに適する。尚、駆動部２１１は、第１のスリーブ２０が回動する時に同期回動し、ピストンロッド２１のネジ山段を介して第２の端蓋１９のネジ山に互いに配合する。このようにして、ピストンロッド２１の駆動部２１１と第１のスリーブ２０の腔体との間に形成されるトルクにより、ピストンロッド２１と第１のスリーブ２０との間の同期回動を実現し、それとともに、駆動部２１１は、第２の端蓋１９のネジ山の配合接続の作用で、第１のスリーブ２０の腔体の軸方向に沿って摺動し、目盛りスクリュー９の上昇距離に応じて下へ移動し、薬瓶一側へ移動し、第１のスリーブ２０内部から脱逸しにくい。好ましくは、本実施例において、ピストンロッド２１の駆動部２１１の断面形状は矩形であるが、実際応用では、その断面形状は六角形、八角形等の他の多角形でよく、このため、本実施例において、その断面の具体的な形状および大きさに対して限定しない。
【００６４】
また、図１１に示すように、上述第２のスリーブ２２の上端に突起部２３が設置され、対応的には、第１のスリーブ２０の上端に突起部２３と配合する係止溝２４が設置され、目盛りスクリュー９が螺旋上昇する時、この突起部２３は係止溝２４内を上へ摺動する。
【００６５】
また、実際設計の過程において、目盛りスクリュー９が螺旋下降する時、第２のスリーブ２２の突起部２３は第１のスリーブ２０の係止溝２４内に下へ摺動し、第１のスリーブ２０を連れて回動させる。このようにして、第２のスリーブ２２の突起部２３が第２のスリーブの係止溝２４に摺動することにより、第１のスリーブ２０は、目盛りスクリュー９が螺旋上昇する時、その軸方向に沿って安定に摺動でき、目盛りスクリュー９に従って螺旋下降する時、突起部２３と係止溝２４との相互配合により、第１のスリーブ２０に対してトルクを発生させ、これによって、第１のスリーブ２０を連れて同期回動させ、伝動の安定性を保証する。
【００６６】
図８に示すように、上述した突起部２３は第２のスリーブ２２の腔体の頂端に設置されてその軸方向に沿って延伸する複数の突起部材により構成される。本実施例において、好ましくは、突起部材の数は２つであり、かつ対称して第２のスリーブ２２の頂端に設置され、この突起部材は水平段（図示せず）および鉛直段（図示せず）により構成され、なお、水平段は第２のスリーブ２２の腔体頂端に接続される。対応的に、第１のスリーブ２０の腔体頂端は一部が上へ延伸して第２のスリーブ２２の腔体頂端の開口を貫通し、そして係止溝２４の係止部（図示せず）を形成する。
【００６７】
第１のスリーブ２０と第２のスリーブ２２とが相対摺動する時、脱逸の現象が発生しないように、実際設計と応用の過程において、好ましくは、突起部２３と係止溝２４とが相対摺動した最大変位、すなわち、第１のスリーブ２０と第２のスリーブ２２の間の相対変位は、目盛りスクリュー９において雄螺の長さ、即ち、この雄螺の始動段と終止段の目盛りスクリュー９軸方向における距離（目盛りスクリュー９が上昇した最大距離に相当）より小さいことを要求する。無論、この相対変位は目盛りスクリュー９においての雄螺の長さに等しくても良いが、本実施例において、これに対し限定しない。
【００６８】
また、本実施例において、好ましくは、図１０および図１２に示すように、上述したラチェットは主に、目盛りスクリュー９の腔体頂端の内壁に設置される複数のラチェット歯２５と、第２のスリーブ２２に設置されて各ラチェット歯２５に配合する複数のラチェット歯２６とから構成される。ラチェット歯２５およびラチェット歯２６はそれぞれ目盛りスクリュー９の腔体頂端と第２のスリーブ２２の頂端に円周になって分布する。目盛りスクリュー９は螺旋下降する時のみに、第２のスリーブ２２を連れて回動させるとともに目盛りスクリュー９の軸方向に沿って摺動することを保証する。
【００６９】
なお、図１０に示すように、上述した第１のスリーブ２０および第２のスリーブ２２の下端にそれぞれ弾性プレス部材に当接するための第１の当接部２７および第２の当接部２８が設置される。弾性片プレス部材は第１の当接部２７と第２の当接部２８との間に設置され、第１の当接部２７および第２の当接部２８は常に弾性プレス部材により当接される。第１の当接部２７および第２の当接部２８により、第１のスリーブ２０および第２のスリーブ２２は弾性プレス部材により確実に当接され、第２のスリーブ２２は弾性プレス部材の作用で、そのラチェット歯２６が目盛りスクリュー９においてのラチェット歯２５に噛み合うことを保証する。
【００７０】
好ましくは、図１０に示すように、上述した弾性プレス部材は第１のスリーブ２０をカバーして第２のスリーブ２２に当接する金属弾性片２９である。金属弾性片２９の反発性が良好であり、耐久性が強く、失効しにくいため、医用注射装置の安定性を向上させる。
【００７１】
また、実際応用においての設計要求を満たすために、上述した第１のスリーブ２０および第２のスリーブ２２の下端にはそれぞれ金属弾性片２９に当接する第１の当接部２７および第２の当接部２８が設置される。金属弾性片２９は第２のスリーブ２２をカバーしてそれぞれ第１の当接部２７および第２の当接部２８に当接される。無論、本実施例において、バネ等の弾性部材により弾性プレス部材を取り替えてもよく、このため、本実施例において、弾性プレス部材が用いる弾性部材に対して限定しない。
【００７２】
具体的には、図１０および図１４に示すように、上述した金属弾性片２９は、第２のスリーブ２２をカバーする中空部（図示せず）、および中空部に接続される湾曲部（図示せず）を含み、本体部の少なくとも一部が第１の当接部２７の端面に貼り合わせ、湾曲部の少なくとも一部が第２の当接部２８の端面に貼り合わせ、金属弾性片２９の第１のスリーブ２０および第２のスリーブ２２との接触面積を増大させる。
【００７３】
また、本実施例において、ユーザの操作と使用を利便にさせるため、医用注射装置は、第１の端蓋１３の通孔に設置されて目盛りスクリュー９の上端に互いに係止する蓋体３０と、蓋体３０上に設置される押圧蓋３１とをさらに含む。押圧蓋３１の中心には定軸３２が設置される。定軸３２は蓋体３０の中空から目盛りスクリュー９の腔体内に挿入し、定軸３２の中軸線が目盛りスクリュー９の中軸線に重ね合わせる。これによって、ユーザが押圧蓋を押圧した後、蓋体３０は押圧蓋３１の作用で、目盛りスクリュー９を連れて下へ移動させ、定軸３２を中心軸として回動させ、第２のスリーブ２２を連れて回動させる。それとともに、定軸３２が蓋体３０の中空部分から目盛りスクリュー９の腔体内に挿入するため、実際使用の時、押圧蓋３１と蓋体３０、目盛りスクリュー９との組立および位置付けを利便にさせる。
【００７４】
また、図１３に示すように、押圧蓋３１の内表面の頂端には、定軸３２を中心として、蓋体３０に接触して押圧するための突出リング３５が設置される。突出リング３５と蓋体３０との間の接触により、押圧蓋３１と蓋体３０との間の接触面積を低減させ、押圧蓋３１と蓋体３０との間の作用力を増加させ、さらに、押圧蓋３１が押圧される時、蓋体３０をスムーズに押圧することにより、蓋体３０が螺旋下降して移動する。
【００７５】
押圧蓋３１が押圧される時、上述した定軸３２が第２のスリーブ２２に接触しないように、上述した突起部２３と係止溝２４が互いに係止した後、定軸３２を挿入するための空胴を形成し、この空胴は第１のスリーブ２０の腔体に互いに連通する。
【００７６】
また、図１４に示すように、目盛りスクリュー９がラチェット２の連れ作用で、第１の端蓋１３との間のネジ山接続により、安定に上昇するために、好ましくは、上述したケーシング１０の腔体側壁に第１の端蓋１３を固定するための溝体３３が設置される。第１の端蓋１３には、溝体３３に係止する係止部材（図示せず）が設置され、第１の端蓋１３とケーシング１０が締まり嵌めの方式で接続される。無論、本実施例は、接着剤接続、ネジ山接続、係止の方式で接続を実現してもよいが、本実施例では、これに対し具体的な限定しない。
【００７７】
具体的には、本実施例において、図１６および図１７に示すように、上述した医用注射装置は目盛りスクリュー９をカバーして目盛りスクリュー９を駆動して回動させるラチェット２と、第１の端蓋に摺動して設置されてラチェット２を駆動して回動させるキーとを含む。かつ、キーにはラチェット２上のラチェット歯５の歯溝に挿入するための弾性部材１が設置される。図１５に示すように、弾性部材１は、キーが押圧された後、対向するラチェット２のラチェット歯５をタッチして弾性変形が発生し、このラチェット歯５の歯溝に滑り入り、ラチェット２を押して回動させ、キーが解放された後に、初期形状に復帰し、再び押圧された後、このラチェット歯５に隣接するラチェット歯の歯溝に滑り入り、このようにして繰り返し、ラチェット２を押して単一方向に回動させる。
【００７８】
これによって、このキー構成におけるキーは弾性部材１を有するため、ラチェットのラチェット歯の歯溝に挿入でき、かつ実際操作では、キーを押圧することにより、弾性部材１がラチェット２において対応するラチェット歯５にプレスし、そして、弾性部材１がラチェット歯５にタッチする時に発生した弾性変形により、弾性部材１をこのラチェット歯５の歯溝にスムーズに滑り入り、ラチェット２を押して回動させ、ユーザがキーを解放した後、弾性部材１は初期形状に復帰し、ユーザが再びキーを押圧した後、次のラチェット歯の歯溝に挿入し、ラチェット２を押して単一方向に回動させ、これによって、キーがラチェット２を押して回動する過程においてのくい違いを回避し、ユーザがキーを連続に押圧することができ、ラチェット２の持続回動を実現し、このキー構成の信頼性および安定性を保証する。なお、このキーの構成は簡単であり、巧みな構想であり、コストを大いに低減させる。
【００７９】
また、本実施例において、図９、図１０および図１２に示すように、ラチェット２の回転方向が時計回りである時、目盛りスクリュー９上の雄螺および第１の端蓋１３通孔中の雌螺は左ねじであり、対応的には、第２のスリーブ２２上のラチェット歯５は目盛りスクリューが螺旋下降する時、反時計回りになって回転し、また、ピストンロッド２１のネジ山段、第２の端蓋１９通孔中の雌螺は左ねじである。なお、ユーザが押圧蓋３１を押圧する時、ピストンロッド２１が押圧するたびに下降する距離は目盛りスクリュー９が押圧するたび前に調節時の上昇する距離は同じであることを保証する。同様に、上述したラチェット２の回転方向が反時計回りである時、上述した各部品のネジ山はいずれも右ねじとしてもよい。したがって、本実施例は上述した各部品の回転方向、及びそのネジ山が左ねじまたは右ねじとするかについて限定しない。
【００８０】
具体的には、実際応用中の設計と組立要求を満たすように、図１６および図１７に示すように、上述した弾性部材１は主に湾曲段１１、および湾曲段１１に接続される鉛直段１２により構成され、且つ鉛直段１２はラチェット２の軸方向に平行する。このような構成により、作業者は自動注射装置の内部構成により、キーを取り付け、ユーザはキーを押圧した後、鉛直段１２がラチェット２の軸方向に沿ってラチェット歯５の歯面５１に作用力を確実に加える。
【００８１】
また、上述した鉛直段１２がラチェット２に対向する部分は弧形面４であり、かつ鉛直段１２の幅はそれに接続される湾曲段１１の一端からその底端まで徐々に小さくなる。これによって、弧形面４の作用で、鉛直段１２がラチェット歯５に接触した後、鉛直段１２が受けた抵抗を低減させ、鉛直段１２がラチェット歯５の歯溝をスムーズに滑り入れ、鉛直段１２がラチェット２のラチェット歯５に対する傷つきを低減させる。
【００８２】
また、本実施例において、好ましくは、図１５、図１７に示すように、各ラチェット歯５の歯面５１はラチェット２の内側から外側へ、予め設定した傾斜角度で下へ傾斜して延伸する。各ラチェット歯５の頂端はその近隣するラチェット歯５の頂端と底端の間（図１５に示すように、頂端３７が頂端１８と底端３６との間に位置する）に位置する。弾性部材１は、キーが押圧される時、対応するラチェット歯５の頂端１８からその歯面に沿ってその底端３６まで摺動し、ラチェット２を押して回動させる。これによって、弾性部材１は、対向するラチェット歯５の頂端にタッチし、弾性変形が発生した後、このラチェット歯５の歯面５１に沿って下へ摺動し、このラチェット歯５が弾性部材１の圧力作用で、ラチェット２の円周面に沿って回動し、特定の角度を回動した後、このラチェット歯５の底端（図１５における底端３６）が弾性部材１端末の真下に位置し、この時、弾性部材１の端末がこのラチェット歯５の底端３６に摺動する。キーが解放されて、弾性部材が初期位置までに復帰し、初期形状に復帰した後、弾性部材１の端末はこのラチェット歯５に近隣するラチェット歯５の頂端（図１５における頂端３７）に対向するため、キー本体８が再び押圧された後、このラチェット歯５に近隣するラチェット歯の歯溝に滑り入り、弾性部材１はキーに持続押圧された時、絶え間なく異なるラチェット歯５に対して衝撃し、ラチェット２を持続して単方向に回動させることを保証する。
【００８３】
無論、本実施例において、ユーザは、弾性部材１が対応するラチェット歯５の頂端１８にその歯面に沿って摺動し、予め設定した距離までに摺動した時、その底端までに到達しなくても、キーを解放し、弾性部材１を初期形状に復帰させる。ユーザが再びキーを押圧する時、弾性部材１は次のラチェット歯の歯溝に滑り入り、このラチェット歯の頂端（図１５における頂端３７）から、その歯面に沿って摺動し、そして、このように繰り返して操作し、ラチェット２を持続して単方向回動させる。したがって、本実施例において、ユーザがキーを押圧するたびに、弾性部材１は各ラチェット歯５の頂端からその底端に摺動して初期位置に復帰し、そして再び押圧する時に、次のラチェット歯の歯溝に摺動し、予め設定した距離に摺動した後に、初期位置に復帰し、再び押圧する時に、次のラチェット歯の歯溝に摺動する。ここでは、具体的な限定をしない。
【００８４】
また、好ましくは、本実施例において、図１７および図１９に示すように、ラチェット２においての各ラチェット歯はラチェット２の軸線を中心として回って分布する。各ラチェット歯５の歯面５１はいずれも少なくとも一部が螺旋面５１４であり、これによって、弾性部材１が対応するラチェット歯５の歯面にタッチする時、互な接触面積を低減し、歯面との間の面接触を防止し、受けた抵抗を低減し、弾性部材１が均一に力を受け、ユーザがキーを押圧する時の手触りを向上させる。図１９に示すように、弾性部材１が各ラチェット歯５の頂端から外へ螺旋面５１４に摺動するために、各ラチェット歯５の歯面に各ラチェット歯５上の螺旋面５１４につなぐ過渡弧面５１１がある。各ラチェット歯５の歯面はいずれも外輪郭線５１３および内輪郭線５１２を有し、各ラチェット歯５の外輪郭線５１３の曲率変化はいずれも同一であり、各ラチェット歯５の内輪郭線５１２の曲率変化はいずれも同一である。また、各外輪郭線５１３および対応する内輪郭線５１２は一部が目盛りスクリュー９の中心軸線を母線として、螺旋軌跡に沿って移動する。
【００８５】
また、好ましくは、各ラチェット歯５の頂端１８とその底端３６とはラチェット２径方向においての距離は弾性部材１の最大変形距離、すなわち、図１５に示すように、弾性部材１がラチェット２において対応するラチェット歯の頂端１８からその底端３６までに摺動した後、その湾曲段のラチェット２径方向においての最大変位距離より小さい。弾性部材１がラチェット２においての対応するラチェット歯にタッチして変形する時にスムーズに対応するラチェット歯の頂端１８からその底端３６までに摺動することを保証する。
【００８６】
図１７および図１９に示すように、弾性部材１がキーの作用で、ラチェット２において対応するラチェット歯５の歯溝から滑り出すことを防止するために、上述したラチェット２の各ラチェット歯５の歯背５１５（各ラチェット歯５の歯溝の溝壁に相当）にはいずれも弾性部材１に対して位置規制を行う位置規制溝１５が開設される。各位置規制溝１５はいずれも対応する歯背５１５とその近隣するラチェット歯の底端３６とが接続する箇所に位置する。また、弾性部材１がキーが解放された後、スムーズに対応するラチェット歯５の歯溝から滑り出すことを保証するために、さらに、このラチェット歯５は逆方向の回動し、上述した位置規制溝１５の開放方向はラチェット２の軸方向に平行する。
【００８７】
図１５および図１７に示すように、実際の設計と要求を満たすために、上述したキーは、自動注射装置内に設置されてキーをプレスするための圧縮ばね６を含む。圧縮ばね６は、キーが解放された後、キーを初期位置にプレスし、キーにおいての弾性部材１とラチェット２において対応するラチェット歯５とを互いに分離させる。圧縮ばね６の伸縮長さは対応するラチェット歯の頂端とその底端とのラチェット２軸方向においての距離の以上である。
【００８８】
これによって、圧縮ばね６の反発性能により、キーが解放された後、マニュアル操作がなくても、弾性部材１は圧縮ばね６の弾性作用で、ラチェット２においての対応するラチェット歯５の頂端１８からその底端３６までに摺動でき、対応するラチェット歯５と互いに分離した後、自動で初期位置に復帰し、弾性部材１が初期形状に復帰することを確保し、さらん、キー本体８が再び押圧された後、既定の軌跡で、圧縮ばね６の圧縮方向に沿って次のラチェット歯をプレスする。
【００８９】
また、本実施例において、好ましくは、図１７および図１８に示すように、上述したキーは主に、弾性部材１に接続される接続片７と、接続片７に係止接続されるキー本体８により構成される。圧縮ばね６は目盛りスクリュー９をカバーして接続片７の一端に当接する。無論、本実施例において、圧縮ばね６は接続片７に直接当接してもよく、本実施例において、これに対し限定しない。
【００９０】
また、図１５および図１７に示すように、第１の端蓋１３にはキー本体８を収容するための溝体１４が開設され、溝体１４の長さはキー本体８の長さより大きい。これによって、ユーザがキー本体８を押圧する時、キー本体８は溝体１４内で安定な往復移動を行うことができる。
【００９１】
また、図１８に示すように、実際応用においての組立の都合上、好ましくは、上述した溝体１４内に接続片７に互いに配合接続されるスライダ１６が設置され、スライダ１６は摺動して溝体１４に設置される。また、接続片７およびスライダ１６には締め具を挿入するためのネジ穴（図示せず）が開設される。接続片７は一部が透かし彫りになり、接続部１７が貫通し、接続部１７によりキー本体８を係止接続させる。
【００９２】
また、本実施例において、図８に示すように、上述したキー本体８は少なくとも一部が第１の端蓋１３が自動注射装置のケーシング１０により覆われる時、ケーシング１０から露出し、キー本体８において露出した部分は凹み部を有し、親指の押圧に適する。
【００９３】
キー本体８において凹み部により親指の押圧に適することは、ユーザの操作を利便にさせるだけでなく、ユーザの体験を向上させ、このキーの自動注射装置の体験を向上させる。
【００９４】
本実施例の動作原理はおおよそ以下のとおりである。自動注射装置が出荷する時、ピストンロッド２１は初期位置、即ち、第１のスリーブ２０中の最高位に位置する。この時、蓋体３０と第１の端蓋１３は互いに貼り合わせ、これにより、ユーザが操作する時、図２に示すように、注射するたびの薬投与量により、キーの弾性部材１によるラチェット２の単方向回転により、目盛りスクリュー９はその案内溝とラチェット２においての突起の作用で（複数の案内溝と対応する突起との間の互な配合）、さらにその外壁に設置される雄螺により第１の端蓋１３の通孔に設置される雌螺に配合接続され、ラチェット２との同期回転を実現する。ラチェット２が特定角度回転した後、目盛りスクリュー９は第１の端蓋１３に対して外へ特定変位を延出し、この変位は目盛りスクリュー９表面に設置される目盛りにより現れる。ユーザが目盛りを調節した後、押圧蓋３１を押し、押圧蓋３１と蓋体３０の作用で、目盛りスクリュー９を逆方向回転させ、蓋体３０が再び第１の端蓋１３に貼り合わせ、調節した投与量の注射を完成し、薬投与量の過量射出を防止し、この時、目盛りスクリュー９を第１の端蓋１３内に引っ込める。
【００９５】
目盛りスクリューが逆方向回転する時、目盛りスクリュー９におけるラチェット歯２５が第２のスリーブ２２上のラチェット歯２６に互いに噛み合うことにより、第２のスリーブ２２、その摺動接続にされる第１のスリーブ２０を連れて回転させ、第１のスリーブ２０が回転する時、第１のスリーブ２０の腔体内壁とピストンロッド２１の駆動部２１１との間のトルク作用で、ピストンロッド２１を連れて同期回動させ、ピストンロッド２１が回動する過程では、ピストンロッド２１の外壁に設置される雄螺と第２の端蓋１９通孔に設置される雌螺との配合接続により、ピストンロッド２１がピストン３４を連れて薬水収容瓶に対して下へ移動し、要求する投与量の薬液を押し出し、押し出すたびの薬投与量と調節した投与量が同一であり、押し出した投与量の正確度を向上させる。
【００９６】
本考案はさらに実施例２を提供し、本実施例２は上述した実施例１におおよそ同一であるが、その相違点は、上述した実施例１において、ラチェット２のラチェット歯５の歯面５１の少なくとも一部が螺旋面５１４であるが、本実施例において、ラチェット２のラチェット歯５の歯面は傾斜した平面である。
【００９７】
本実施例において、ラチェット２のラチェット歯の歯面は傾斜した平面であるため、同様に、弾性部材１に対する案内を実現でき、弾性部材１にタッチされる際、ラチェット２を押して回動させ、キーが解放された後、弾性部材１が初期形状に復帰した後、キーが再び押圧される時、近隣するラチェット歯の歯溝に滑り入り、ラチェット２の単方向回動を実現し、同様に、実施例１においてラチェット歯の歯面５１の效果を実現できる。
【００９８】
（実施例３）
図２０〜図２７に示すように、本考案の実施例３は医用注射装置を提供した。この実施例においての医用注射装置は実施例１または実施例２を元として改善するものである。実施例１と実施例２との相違点は、本実施例において、ケーシング１０にラチェット２の回転を限定するための保護機構が設置される。保護機構は、安全スイッチ８ａ、ロック機構を含む。ロック機構はラチェット２円周面に設置されるロック棘歯である。安全スイッチ８ａは回動可能にケーシング１０側壁においての取付孔内に設置される。安全スイッチ８ａが回転した後、安全スイッチ８ａのスプリングボルト８１はロック棘歯に互いに噛み合いまたは分離する。実際製造と応用では、安全スイッチ８ａは繋金でケーシング１０側壁上の取付孔内に係止される。
【００９９】
具体的には、案内溝はラチェット２円周に沿って延伸してラチェット２の円周面に設置される。安全スイッチ８ａのスプリングボルト８１は案内溝の歯面までに延伸し、安全スイッチ８ａを回転させる時、スプリングボルト８１は案内溝に噛み合うまたは分離する。
【０１００】
投与量を調節する過程においてラチェット２が回転することを防止するために、スプリングボルト８１は単方向弾性変形を有するつめ構成である。具体的には、例えば、スプリングボルト８１はストップブロック状であり、図２７に示すように、スプリングボルト８１がロックラチェットのラチェット歯に噛み合う時、スプリングボルト８１一側において、スプリングボルト８１横方向に沿って逆止め凹溝８２が開設される。
【０１０１】
本実施例における医用注射装置は実施例１と実施例２の構成に類似する。本実施例は実施例１の構成を元として本実施の発明ポイントを説明する。本実施例における医用注射装置は主に、ケーシング１０と、ケーシング１０の通孔腔体一端に設置されてピストン３４を有する薬水収容瓶と、トリガースイッチボタン２ａとを含む。ケーシング１０は、上端に第１の端蓋１３が設置され、下端に第２の端蓋１９が設置される。第２の端蓋１９はケーシング１０の通孔腔体下端に係止される。第１の端蓋１３、第２の端蓋１９の中部にはいずれも通孔が設置される。薬水収容瓶は瓶カバーによりケーシング１０の下端に固定される。瓶カバーの上端は第２の端蓋１９内に係止される。投与量調節機構は調節キー４ａおよびラチェット２を含む。ラチェット２はケーシング１０の通孔腔体内に嵌設される。ラチェット２は目盛りスクリュー９をカバーし、目盛りスクリュー９とトルク方式で接続され、両者は互いに軸方向に沿って摺動できる。本実施例において、ラチェット２内側壁には、その軸方向に沿って案内溝が設置され、目盛りスクリュー９の外壁には案内溝に摺動して接続される突起が設置され、案内溝と突起の配合により、目盛りスクリュー９とラチェット２の間にトルク伝達が形成される。ラチェット２、目盛りスクリュー９が回転する時、突起は案内溝内を摺動し、均一に受力し、順調に調節するために、案内溝は３つ設置され、均一にラチェット２の円周面上に分布される。ラチェット２の鋸歯面は調節キー４ａに接続され、駆動調節キー４ａによりラチェット２を単方向回転させる。目盛りスクリュー９の外壁には第１の端蓋１３中部の通孔上の雌螺に配合接続される雄螺が設置される。目盛りスクリュー９の上端はトリガースイッチボタン２ａに接続され、目盛りスクリュー９の下端は駆動素子７１に接続される。駆動素子７１の下端はピストンロッド２１に伝達トルクの方式で接続される。具体的には、駆動素子７１は伝達トルクするために、ピストンロッド２１上端においての方形ロッドをカバーする。ピストンロッド２１の外壁には第２の端蓋１９中部の通孔上の雌螺に配合接続される雄螺が設置される。
【０１０２】
駆動素子７１の上端面において、駆動素子７１の円周に沿って鋸歯面が上に向く第１のラチェットが設置される。目盛りスクリュー９には第１のラチェットに配合するつめ６２が設置される。本実施例において、目盛りスクリュー９はピストンロッド２１をカバーする。駆動素子２１及びピストンロッド２１の上端部は目盛りスクリュー９の腔体内に位置する。つめ６２は目盛りスクリュー９の腔体頂壁に設置される。駆動素子７１下端と第２の端蓋１９との間には、駆動素子７１上端の第１のラチェットと目盛りスクリュー９腔体頂壁上のつめ６２とを常に噛み合う状態に保持させるための圧縮ばね７２が設置される。投与量を調節した後、トリガースイッチボタン２ａを押して目盛りスクリュー９をつれて螺旋下降させる時、第１のラチェットとつめ６２との噛み合う作用で、ピストンロッド２１が同時に回動し、調節した投与量と押されて注射した薬投与量とが同じであることを保証する。
【０１０３】
本考案の好ましい形態は、ラチェット２のラチェット歯はラチェット２円周に沿って延伸してラチェット２の上端面に設置される。ラチェット２の歯面と第１のラチェットの歯面との傾斜方向は同じである。
【０１０４】
調節キー４ａは目盛りスクリュー９をカバーする。調節キー４ａの下端に頂尖４２を有する。頂尖４２の尖部は外力作用でラチェット２の歯面に貼り合わせることができる。ケーシング１０の側壁には、ケーシング１０の軸方向に沿って設置されるバー状通孔が設置される。調節キー４ａの側壁に、延伸してバー状通孔を通る凸点４１が成型される。凸点４１は、ケーシング１０の外側までに延伸し、凸点４１の作用が、ユーザの指が外力を凸点に加えて、調節キー４ａ全体をつれてケーシング１０の軸線方向に沿って移動させることを利便にする。無論、利便に調節キー４ａをつれて移動させる構成により凸点４１を替えても良い。操作を利便にするために、調節キー４ａの上端と第１の端蓋１３との間に引張ばね４３が設置され、調節キー４ａがバー状通孔の最下方までに移動した時、外力を解放した後、引張ばね４３の作用で、調節キー４ａが自動でバー状通孔の最高点までに復帰でき、次回の調節を利便にする。
【０１０５】
具体的には、案内溝はラチェット２の円周に沿って延伸してラチェット２の円周面に設置される。安全スイッチ８ａは繋金によりケーシング１０側壁上の取付孔内に係止される。安全スイッチ８ａのスプリングボルト８１は案内溝の歯面までに延伸し、安全スイッチ８ａを回転させる時、スプリングボルト８１は案内溝に噛み合うまたは分離する。
【０１０６】
投与量を調節する過程においてラチェット２が回転することを防止するために、スプリングボルト８１は単方向弾性変形を有するつめ構成である。具体的には、例えば、スプリングボルト８１はストップブロック状であり、図２７に示すように、スプリングボルト８１がロックラチェットのラチェット歯に噛み合う時、スプリングボルト８１一側において、スプリングボルト８１横方向に沿って逆止め凹溝８２が開設される。
【０１０７】
本実施例において、好ましくは、この医用注射装置はニードル保護機構を含む。ニードル保護機構はニードル保護カバー９ａ、保護カバーリセット部材９１を含む。ニードル保護カバー９ａは瓶カバーの内腔壁に対して摺動可能に瓶カバーの内腔下端に嵌設される。保護カバーリセット部材９１はニードル保護カバー９ａと瓶カバーの内腔壁との間に設置され、外力の作用で、ニードル保護カバー９ａが瓶カバー内に押圧され、外力を解放した後、ニードル保護カバー９ａを瓶カバー内から延出させる。保護カバーリセット部材９１はバネである。バネは一端が瓶カバーの内壁に接続され、他端がニードル保護カバー９ａに接続される。
【０１０８】
本実施例の動作原理は以下のとおりである。
調節キー４ａを駆動して下へ移動させる。調節キー４ａの頂尖４２はラチェット２上端のラチェット歯面に当接し、ラチェット２を単方向回転させる。目盛りスクリュー９は突起と案内溝の作用でラチェット２と同期して回転する。目盛りスクリュー９の外壁に設置される雄螺と第１の端蓋１３の通孔に設置される雌螺とは配合して接続される。ラチェット２が特定角度を回転した後、目盛りスクリュー９は第１の端蓋１３に対して外へ特定変位を延出し、この変位は目盛りスクリュー９表面に設置される目盛りにより現れる。投与量を調節した後、安全スイッチ８ａを回転させ、スプリングボルト８１が案内溝に噛み合い、ラチェット２、目盛りスクリュー９の回転を限定する。
【０１０９】
注射する時、スプリングボルト８１と案内溝が分離するまでに安全スイッチ８ａを回転させ、トリガースイッチボタン２ａを押して、トリガースイッチボタン２ａが目盛りスクリュー９を逆方向回転させ、第１の端蓋１３内に引っ込める。目盛りスクリュー９のつめ６２は駆動素子７１上端面においての第１のラチェットに噛み合って接続され、ピストンロッド２１を連れて同期回動させる。ピストンロッド２１の外壁には、第２の端蓋１９通孔に設置される雌螺と配合接続される雄螺が設置され、ピストンロッド２１がピストン３４を連れて薬水収容瓶に対して下へ移動させ、これによって、要求する投与量の薬液を押し出す。
【０１１０】
理解すべきのは、方位に関する言葉はいずれも操作者とユーザの日常操作習慣および明細書における図面に合わせて設定するものであるが、本考案の保護範囲に影響を与えない。
【０１１１】
以上、図面と実施例に合わせて本考案を詳細に説明したが、当業者は、上述した説明に基づき、本考案に対して様々な変化例を作成できる。したがって、実施例におけるある細部は、本考案に対する限定にならなく、本考案は特許請求の範囲により本考案の保護範囲を限定する。
【図１】
0003213066.tif 000003
【図２】
0003213066.tif 000004
【図３】
0003213066.tif 000005
【図４】
0003213066.tif 000006
【図５】
0003213066.tif 000007
【図６】
0003213066.tif 000008
【図７】
0003213066.tif 000009
【図８】
0003213066.tif 000010
【図９】
0003213066.tif 000011
【図１０】
0003213066.tif 000012
【図１１】
0003213066.tif 000013
【図１２】
0003213066.tif 000014
【図１３】
0003213066.tif 000015
【図１４】
0003213066.tif 000016
【図１５】
0003213066.tif 000017
【図１６】
0003213066.tif 000018
【図１７】
0003213066.tif 000019
【図１８】
0003213066.tif 000020
【図１９】
0003213066.tif 000021
【図２０】
0003213066.tif 000022
【図２１】
0003213066.tif 000023
【図２２】
0003213066.tif 000024
【図２３】
0003213066.tif 000025
【図２４】
0003213066.tif 000026
【図２５】
0003213066.tif 000027
【図２６】
0003213066.tif 000028
【図２７】
0003213066.tif 000029
【手続補正書】
【提出日】平成29年8月18日(2017.8.18)
【手続補正１】
【補正対象書類名】実用新案登録請求の範囲
【補正対象項目名】全文
【補正方法】変更
【補正の内容】
【実用新案登録請求の範囲】
【請求項１】
両端部にそれぞれ第１の端蓋、第２の端蓋が設置されるケーシングと、
前記第１の端蓋のネジ山に接続される目盛りスクリューと、
薬剤を押し出すことに用いられ、上端は前記目盛りスクリューに駆動機構を介して接続され、下端は前記第２の端蓋のネジ山に接続されるピストンロッドと、
を含む医用注射装置であって、
前記医用注射装置はさらに、前記目盛りスクリューを連れて前記ケーシングの軸方向に沿って移動させるための、前記目盛りスクリューと前記ケーシングとの間に設置される投与量調節機構を含み、
前記目盛りスクリューが螺旋上昇する時、前記駆動機構は少なくとも一部が前記目盛りスクリューにしたがって直線上昇し、前記目盛りスクリューが螺旋下降する時、前記駆動機構は少なくとも一部が前記目盛りスクリューにしたがって螺旋下降して移動し、前記ピストンロッドを駆動して同期螺旋下降して移動する
ことを特徴とする医用注射装置。
【請求項２】
前記投与量調節機構は調節キー、ラチェットを含み、前記調節キーは摺動して前記ケーシングに設置され、前記ラチェットを駆動して回動させることに用いられ、前記ラチェットは前記目盛りスクリューをカバーし、前記目盛りスクリューを駆動して回動させることに用いられる
ことを特徴とする請求項１に記載の医用注射装置。
【請求項３】
前記ラチェットは前記目盛りスクリューとトルク方式で接続され、
前記調節キーは前記目盛りスクリューをカバーし、外力作用で、前記調節キーの下端の頂尖は前記ラチェットのラチェット歯に貼り合わせ、前記ケーシングの側壁には前記ケーシングの軸方向に沿って設置されるバー状通孔が設置され、前記調節キーの側壁には前記バー状通孔を延伸して貫通する凸点が成型され、
前記調節キーは押圧される時、前記ラチェットのラチェット歯に配合し、前記ラチェットを駆動して単方向回動させ、前記目盛りスクリューは前記ラチェットの作用で同期回動する
ことを特徴とする請求項２に記載の医用注射装置。
【請求項４】
前記調節キーの上端と前記第１の端蓋との間に前記調節キーを復帰させるための引張ばねが設置される
ことを特徴とする請求項２に記載の医用注射装置。
【請求項５】
前記駆動機構は、
前記ピストンロッドにトルク接続される駆動素子と、
前記駆動素子の下端に当接し、前記目盛りスクリューが前記駆動素子にラチェット機構を介して互いに噛み合う接続を保持することに用いられる弾性プレス部材と、を含み、
前記目盛りスクリューが螺旋上昇する時、前記駆動素子は前記弾性プレス部材の作用で前記目盛りスクリューにしたがって直線上昇し、前記ピストンロッドとの間に相対摺動を発生させ、前記目盛りスクリューが螺旋下降する時、前記目盛りスクリューは前記ラチェット機構の噛み合いにより前記駆動素子をつれて回動させ、前記ピストンロッドは前記駆動素子の回動にしたがって、螺旋下降して移動する
ことを特徴とする請求項２〜４のいずれか１項に記載の医用注射装置。
【請求項６】
前記ラチェットのラチェット歯は前記ラチェットの円周方向に沿って延伸して前記ラチェットの円周面に設置され、
前記ラチェット機構は、前記駆動素子の円周面に設置されるラチェット歯と、前記目盛りスクリューの内壁に設置されるつめと、を含み、前記つめは前記ラチェット歯と互いに噛み合い、前記ラチェットのラチェット歯の歯面は前記駆動素子のラチェット歯の歯面の傾斜方向に対して逆になる
ことを特徴とする請求項５に記載の医用注射装置。
【請求項７】
前記ラチェットのラチェット歯は前記ラチェットの円周方向に沿って延伸して前記ラチェットの上端面に設置され、
前記ラチェット機構は、前記駆動素子の上端面に設置されるラチェット歯と、前記目盛りスクリューに設置されるつめと、を含み、前記つめは前記ラチェット歯と互いに噛み合い、前記ラチェットのラチェット歯の歯面は前記駆動素子のラチェット歯の歯面の傾斜方向と同じである
ことを特徴とする請求項５に記載の医用注射装置。
【請求項８】
前記医用注射装置は、薬水収容瓶、およびトリガースイッチボタンをさらに含み、前記薬水収容瓶は前記ケーシングの下端に設置され、前記薬水収容瓶内にピストンを有し、前記ピストンは前記ピストンロッドに接続され、前記トリガースイッチボタンは前記目盛りスクリューの上端に接続される
ことを特徴とする請求項２に記載の医用注射装置。
【請求項９】
前記薬水収容瓶は瓶カバーを介して前記ケーシングの下端に固定され、前記瓶カバーの上端は前記第２の端蓋内に係止され、前記第２の端蓋は前記ケーシングの通孔腔体の下端に係止される
ことを特徴とする請求項８に記載の医用注射装置。
【請求項１０】
前記ラチェットの内側壁にはその軸方向に沿って複数の案内溝が設置され、各案内溝は前記ラチェットの円周面に均一に分布し、前記目盛りスクリューの外壁には各案内溝に摺動接続される突起が成型する
ことを特徴とする請求項２に記載の医用注射装置。
【請求項１１】
前記駆動機構は第１のスリーブおよび駆動素子を含み、
前記第１のスリーブは前記ピストンロッドをカバーし、前記ピストンロッドを駆動して回動させ、
前記駆動素子は前記目盛りスクリューの腔体内に配置され、前記第２の端蓋の上方に設置される弾性プレス部材に当接され、前記駆動素子は前記第１のスリーブをつれて回動させ、前記目盛りスクリューおよび前記駆動素子は前記弾性プレス部材のプレス作用でラチェット機構を介して互いに噛み合い、
前記目盛りスクリューが螺旋上昇する時、前記駆動素子は前記弾性プレス部材の作用で直線上昇し、
前記目盛りスクリューが螺旋下降する時、前記駆動素子は前記ラチェット機構の噛み合いにより第１のスリーブをつれて回動させ、前記ピストンロッドは前記第１のスリーブにしたがって回動させ、螺旋下降して移動する
ことを特徴とする請求項１に記載の医用注射装置。
【請求項１２】
前記駆動素子は前記第１のスリーブをカバーする第２のスリーブであり、
前記第２のスリーブは前記第１のスリーブの上端に摺動接続され、前記第２のスリーブは前記目盛りスクリューが螺旋上昇する時、前記目盛りスクリューの軸方向に沿って摺動する
ことを特徴とする請求項１１に記載の医用注射装置。
【請求項１３】
前記第２のスリーブの上端に突起部が設置され、
前記第１のスリーブの上端に前記突起部に配合するための係止溝が設置され、
前記目盛りスクリューが螺旋上昇する時、前記突起部は前記係止溝内で上へ摺動し、前記目盛りスクリューが螺旋下降する時、前記突起部は前記係止溝内で下へ摺動し、前記第２のスリーブをつれて回動させる
ことを特徴とする請求項１２に記載の医用注射装置。
【請求項１４】
前記突起部と係止溝との間に発生した相対摺動の最大変位は前記目盛りスクリューにおける雄螺の長さの以下である
ことを特徴とする請求項１３に記載の医用注射装置。
【請求項１５】
前記ピストンロッドは、前記第１のスリーブの腔体内に設置される駆動部と、前記駆動部に接続されるネジ山段とを含み、
前記駆動部の断面は前記第１のスリーブの腔体の断面の形状および大きさに合わせて、前記駆動部は前記第１のスリーブが回動する時に同期回動し、前記ネジ山段を介して前記第２の端蓋のネジ山に互いに配合する
ことを特徴とする請求項１１に記載の医用注射装置。
【請求項１６】
前記ラチェット機構は、前記目盛りスクリューの腔体頂端内に設置される第１のラチェット歯と、前記第２のスリーブの頂端に設置されて前記第１のラチェット歯に互いに配合する第２のラチェット歯と、を含み、
前記第１のラチェット歯および前記第２のラチェット歯はいずれも円周になって分布する
ことを特徴とする請求項１２に記載の医用注射装置。
【請求項１７】
前記第１のスリーブおよび第２のスリーブの下端にはそれぞれ前記弾性プレス部材に当接するための第１の当接部および第２の当接部が設置され、
前記弾性プレス部材は前記第１の当接部と第２の当接部との間に設置され、前記第１の当接部および第２の当接部を常に前記弾性プレス部材に当接させる
ことを特徴とする請求項１２に記載の医用注射装置。
【請求項１８】
前記医用注射装置は、前記第１の端蓋の通孔に設置されて前記目盛りスクリューの上端に互いに係止する蓋体と、前記蓋体に設置される押圧蓋と、を含み、
前記押圧蓋の中心に定軸が設置され、前記定軸は前記蓋体の中空部分から前記目盛りスクリューの腔体内に挿入される
ことを特徴とする請求項１に記載の医用注射装置。
【請求項１９】
前記押圧蓋の内表面の頂端に蓋体に接触して押圧するための突出リングが設置される
ことを特徴とする請求項１８に記載の医用注射装置。
【請求項２０】
前記第２の端蓋は前記ケーシングに一体成型し、前記第２の端蓋の端面は前記第１のスリーブの底部に互いに当接する
ことを特徴とする請求項１１に記載の医用注射装置。
【請求項２１】
前記投与量調節機構は、前記目盛りスクリューを駆動して回動させるラチェットと、前記第１の端蓋に摺動して設置されて前記ラチェットを駆動して回動させるキーとを含み、
前記キーは少なくとも一部が弾性部材であり、前記ラチェットのラチェット歯の歯溝に挿入することに用いられ、
前記ラチェットにおいての各ラチェット歯はラチェットの軸線を中心として回って分布し、
前記弾性部材は、前記キーが押圧された後、前記ラチェット歯にタッチして弾性変形が発生し、前記ラチェット歯の歯溝に滑り入り、前記ラチェットを押して回動させ、前記キーが解放された後、初期形状に復帰し、再び押圧された後、前記ラチェット歯に近隣するラチェット歯の歯溝に滑り入り、ラチェットを押して単方向回動させる
ことを特徴とする請求項１または請求項１０〜２０のいずれか１項に記載の医用注射装置。
【請求項２２】
各ラチェット歯の歯面はいずれも前記ラチェットの内側から外側へ傾斜して延伸し、各ラチェット歯の頂端はその近隣するラチェット歯の頂端と底端との間に位置し、
前記弾性部材は前記キーが押圧された時、対応するラチェット歯の頂端からその歯面に沿ってその底端までに摺動し、前記ラチェットを押して回動させる
ことを特徴とする請求項２１に記載の医用注射装置。
【請求項２３】
前記ラチェットのラチェット歯の歯面は少なくとも一部が螺旋面であり、または前記ラチェットのラチェット歯の歯面は傾斜の平面である
ことを特徴とする請求項２２に記載の医用注射装置。
【請求項２４】
各ラチェット歯の歯背にいずれも前記弾性部材に対して位置規制を行うための位置規制溝が開設され、各位置規制溝はいずれも各自が対応する歯背とその近隣するラチェット歯の底端とが接続される箇所に位置する
ことを特徴とする請求項２１に記載の医用注射装置。
【請求項２５】
前記医用注射装置はケーシング内に設置されて前記キーをプレスする圧縮ばねをさらに含み、前記圧縮ばねは、前記キーが解放された後、前記キーを初期位置にプレスし、対応するラチェット歯と互いに分離し、
前記圧縮ばねの伸縮可能な長さは対応するラチェット歯の頂端およびその底端の前記ラチェット軸方向においての距離の以上である
ことを特徴とする請求項２１に記載の医用注射装置。
【請求項２６】
前記弾性部材は湾曲段および前記湾曲段に接続される鉛直段を含み、前記鉛直段は前記ラチェットの軸方向に平行する
ことを特徴とする請求項２１に記載の医用注射装置。
【請求項２７】
前記鉛直段において前記ラチェットに対向する部分は弧形面であり、前記鉛直段の幅はそれに接続される前記湾曲段の一端からその底端までに徐々に小さくなる
ことを特徴とする請求項２６に記載の医用注射装置。
【請求項２８】
前記キーは、前記弾性部材に接続される接続片と、前記接続片に係止接続されるキー本体とを含み、前記接続片は前記圧縮ばねにより当接される
ことを特徴とする請求項２５に記載の医用注射装置。
【請求項２９】
前記キーは端蓋をさらに含み、端蓋に前記接続片を収容するための溝体が開設され、前記溝体の長さは前記接続片の長さより大きい
ことを特徴とする請求項２８に記載の医用注射装置。
【請求項３０】
前記医用注射装置は前記ラチェットの回転を限定するための保護機構をさらに含み、前記保護機構は安全スイッチおよびロック機構を含み、前記ロック機構は前記ラチェットの円周面に設置されるロック棘歯を含み、
前記安全スイッチは回動可能に前記ケーシングの側壁においての取付孔内に設置され、前記安全スイッチを回転させた後、前記安全スイッチのスプリングボルトは前記ロック棘歯に互いに噛み合うまたは分離する
ことを特徴とする請求項２〜１０または２１〜２９のいずれか１項に記載の医用注射装置。
【請求項３１】
前記安全スイッチは繋金を介して前記ケーシングの側壁においての取付孔内に係止される
ことを特徴とする請求項３０に記載の医用注射装置。
【請求項３２】
前記医用注射装置は、ニードル保護カバー、および保護カバーリセット部材をさらに含み、
前記薬水収容瓶は瓶カバーを介して前記ケーシングの下端に固定され、
前記瓶カバーの上端は前記第２の端蓋内に係止され、前記ニードル保護カバーは前記瓶カバーの内腔壁に対して摺動でき、前記瓶カバーの内腔下端に嵌設され、
前記保護カバーリセット部材は前記ニードル保護カバーと前記瓶カバーの内腔壁との間に設置され、外力作用で前記ニードル保護カバーを前記瓶カバー内に押圧し、外力を解放した後、前記ニードル保護カバーを前記瓶カバー内から延出させる
ことを特徴とする請求項８または９に記載の医用注射装置。
【請求項３３】
前記第２の端蓋は前記ケーシングの通孔腔体下端に係止される
ことを特徴とする請求項３２に記載の医用注射装置。